(57)【要約】【課題】本発明では、空気清浄機のように高価な粒状活性炭素を充填した脱臭フィルターを用いるのではなく、安価な炭を用い、空気の自然な対流によって炭の脱臭・調湿・マイナスイオン効果を利用でき、廃棄時に焼却処分若しくは再利用することの出来る炭入りパネルを提供することを目的とする。【解決手段】セル面積が略１００ｍｍ２のペーパーコアの片面に通気性・吸水性の良い略７０ｇ／ｍ２の不織布を接着剤で貼り付け、もう片面にホットメルトを予め付けておき、ペーパーコアに振動を与えながらコア内部に炭を隙間無く充填し、残りの片面にも同じ不織布等を熱溶着し、不織布の周囲も接着剤・熱溶着にて重ね合わせ、若しくは袋閉じ接着された炭入りパネルであるとする。【選択図】　　　図２
2004057538.tif 000002
【特許請求の範囲】
【請求項１】
セル面積が略１００ｍｍ２のペーパーコアの片面に通気性・吸水性の良い略７０ｇ／ｍ２の不織布を接着剤で貼り付け、もう片面にホットメルトを予め付けておき、ペーパーコアに振動を与えながらコア内部に炭を隙間無く充填し、残りの片面にも同じ不織布等を熱溶着し、不織布の周囲も接着剤・熱溶着にて重ね合わせ、若しくは袋閉じ接着された炭入りパネル。
【請求項２】
セル面積が略１００ｍｍ２のペーパーコアの片面に通気性・吸水性の良い略７０ｇ／ｍ２の不織布を接着剤で貼り付け、もう片面にホットメルトを予め付けておき、ペーパーコアに振動を与えながらコア内部に自然乾燥型の凝固剤を噴霧した炭を隙間無く充填し、残りの片面にも同じ不織布等を熱溶着し、不織布の周囲も接着剤・熱溶着にて重ね合わせ、若しくは袋閉じ接着された炭入りパネル。
【請求項３】
不燃紙若しくは不燃性を持たせたセル面積が略１００ｍｍ２のペーパーコアの片面に不燃性の不織布若しくは片面にホットメルト付き略７０ｇ／ｍ２の不織布を接着剤で貼り付け、もう片面にホットメルトを予め付けておき、ペーパーコアに振動を与えながらコア内部に炭を隙間無く充填し、残りの片面にも同じ不織布等を熱溶着し、不織布の周囲も接着剤・熱溶着にて重ね合わせ、若しくは袋閉じ接着された炭入りパネル。
【請求項４】
不燃紙若しくは不燃性を持たせたセル面積が略１００ｍｍ２のペーパーコアの片面に不燃性の不織布若しくは片面にホットメルト付き略７０ｇ／ｍ２の不織布を接着剤で貼り付け、もう片面にホットメルトを予め付けておき、ペーパーコアに振動を与えながらコア内部に自然乾燥型の凝固剤を噴霧した炭を隙間無く充填し、残りの片面にも同じ不織布等を熱溶着し、不織布の周囲も接着剤・熱溶着にて重ね合わせ、若しくは袋閉じ接着された炭入りパネル。
【発明の詳細な説明】
【０００１】
【発明が属する技術分野】
本発明は、内部に炭を充填したペーパーコアの両面に通気性を備えた不織布等を貼り付けることで、炭の脱臭・調湿・電磁波遮断・マイナスイオン効果を利用することのできる炭入りパネルに関するものである。
【０００２】
【従来の技術】
従来技術として、『空気清浄フィルタおよびそれを用いた空気処理装置』（特開２００２−０９５９１４）では、生活臭、ペット臭などの原因となるアンモニア、アセトアルデヒド、酢酸などの極性物質やタバコ臭などの原因となる無極性物質や極性物質を取り除いて消臭でき、そして脱臭フィルタの脱臭性能が低下した際には、水洗して再使用できる空気清浄フィルタを提供するために、　空気を透過させて空気中の塵埃・悪臭を取り除く空気清浄フィルタにおいて、無機系脱臭剤と活性炭粉末から構成される脱臭剤を、樹脂製多孔質基材に固着処理して担持した脱臭フィルタを備えた空気清浄フィルタが開示されている。
【０００３】
『脱臭機能を備えた建材』（特開平０５−１６３７６７）では、活性炭と、結合剤又は骨材等とを適当量だけ混ぜ合わせ、この混合物に更にバインダーと、水とを加えて混練し、この混練物を押出成形機等により平板又はハニカム状等に押出して建材を成形する、脱臭機能を備えた建材が開示されている。
【０００４】
『室内の脱臭方法』（特開平０９−２５３１８７）では、一般トイレットや汚物処理室などの脱臭を自然な方法で、臭気の発生のタイミング、量に関係無く、常に、積極的に脱臭することのできる方法を簡便で無害に行う方法として提供するために、活性炭素をブロックまたは板状に成形して、取り替え可能な脱臭機能パネルを形成し、居住の壁の一部または全面に埋設またははめ込みにより施工し、通気性を有する紙またはシートにより表層を形成して、隣室または建物外部と貫通気を可能とし室外空気を貫流させることと、臭気を吸着脱臭し、臭気吸着効果がなくなるとパネル交換することを可能にしている。
【０００５】
『芳香・脱臭兼用装飾パネル』（特開平０９−０４７４９８）では、室内等の臭気環境の改善を図ることができ、かつ内装材および壁画等の素材として使用できる芳香・脱臭兼用装飾パネルを提供するために、有孔パネルと、その裏面に設けた凹部に配設した芳香材または脱臭材包装体と、有孔パネルの裏面に設けた接着剤層と、接着剤層に貼着した剥離紙とより構成される芳香・脱臭兼用装飾パネルが開示されている。
【０００６】
『除湿脱臭パネル』（特開平０７−１３９０４６）では、強度の高い樹脂により略六角柱状に骨組みを形成し、その各側面に樹脂製の網を張設して木炭収納部を設け、パネル本体の内部に多数の木炭収納部の側面同士を隣接させた状態、いわゆる蜂の巣上の構造に一体成形して心材を形成し、その上面及び底面に樹脂製の網を貼着して、略直方形の板状に形成して各木炭収納部に多数の木炭を収納した、除湿脱臭パネルが開示されている。
【０００７】
上記のように従来、脱臭・調湿などの効果を持つ炭やゼオライトを充填したパネル、及び炭を凝固させたり、繊維に凝着した製品は多数ある。
【０００８】
【発明が解決しようとする課題】
ところが、従来の技術である『空気清浄フィルタおよびそれを用いた空気処理装置』（特開２００２−０９５９１４）においては、脱臭剤の絶対量が少なく吸着力がすぐに飽和状態になり消臭期間が短いという問題点がある。
【０００９】
また、『脱臭機能を備えた建材』（特開平０５−１６３７６７）や『室内の脱臭方法』（特開平０９−２５３１８７）は、活性炭と、結合剤又は骨材等とを適当量混ぜ合わせた混練物を押出成形して製作する等、製作が非常に面倒である。また該発明を運搬したり、施工中に炭がパネルより欠落したり、割れたりしやすい点や、触ると炭が付き汚れやすい点、また使用後に焼却処分が出来ない点など取り扱いにくい点がたくさんある。
【００１０】
『芳香・脱臭兼用装飾パネル』（特開平０９−０４７４９８）においては、中に詰める脱臭材の包装体は、運搬中等に微粉炭が出ない用にするためには、通気性が非常に少ない包装体にしなければならず、炭の効果の即効性がなくなるという問題点がある。
【００１１】
『除湿脱臭パネル』（特開平０７−１３９０４６）においては、強度の高い樹脂により略六角柱状に骨組を形成し、その内部に木炭を充填し、その両面に樹脂製の網を粘着するとき、従来の技術では微粉炭が接着部の不良を起こしやすい。また、従来技術での該商品は、微粉炭が多量にパネル外に出て周囲が汚れるため、畳の下や、壁等に内装しないと利用することができない。また、使用後に該パネルを焼却処分することが出来ないため、交換用の脱臭パネルとして利用するには不便な点が多い。
【００１２】
すなわち、従来技術で挙げた、炭などで脱臭・調湿の効果を持たせた脱臭用パネルには、
（１）炭と結合剤を混ぜ合わせ混練物を押出成形し、板状・ブロック状にされたものでは、結合剤を多く入れないと、運搬・使用・取り扱い中に炭が欠落しパネルが破損する。また、表面を触ると汚れてしまう。
（２）床下用調湿材用に炭を不織布で包装した物を内部に仕込んだパネルでは、使用中に微粉炭が出て、周囲を汚したり、手に付いてしまうため作業がしにくい。
（３）繊維などに炭を凝着している物は、固着剤を多く使用しないと外部力により炭が欠落してしまう。また、表面を触ると汚れてしまうため身近なところで使用しにくい。さらに、炭の使用量が少ない上、固着剤が炭の吸着作用を阻害して脱臭効果が短くなってしまう。
（４）電気製品の側で使用すると、微粉炭は通電性の良い炭素であるため脱臭パネルより出た微粉炭で電気製品が壊れる。また、粉炭自体ホコリと違い硬いのでフレキシブルディスクなどに傷をつけてしまう。
等の問題があるため、安価で脱臭・調湿の効果の優れた炭（特に６００℃で焼かれた竹粉炭（黒炭））を様々な場面において利用するには都合が悪い。
【００１３】
脱臭剤として炭を効果的に用いるためには、用いる炭の量を多くするとともに、炭を細かい粒状にして炭が空気に触れる面積を広くする必要がある。そのために、炭をパネル状に成形して用いるのが良い。さらに、交換し易く・不燃性も備えているものが利用する上で便利である。本発明は、上記の問題を解決するために、空気清浄機のように高価な粒状活性炭素を充填した脱臭フィルターを用いるのではなく、安価な炭を用い、空気の自然な対流によって炭の脱臭・調湿・マイナスイオン効果を利用でき、廃棄時に焼却処分若しくは再利用することの出来る炭入りパネルを提供することを目的とする。
【００１４】
【課題を解決するための手段】
上記の課題を解決するために、本発明の請求項１に記載された発明は、セル面積が略１００ｍｍ２のペーパーコアの片面に通気性・吸水性の良い略７０ｇ／ｍ２の不織布を接着剤で貼り付け、もう片面にホットメルトを予め付けておき、ペーパーコアに振動を与えながらコア内部に炭を隙間無く充填し、残りの片面にも同じ不織布等を熱溶着し、不織布の周囲も接着剤・熱溶着にて重ね合わせ、若しくは袋閉じ接着された炭入りパネルであるとする。
【００１５】
請求項２に記載された発明は、セル面積が略１００ｍｍ２のペーパーコアの片面に通気性・吸水性の良い略７０ｇ／ｍ２の不織布を接着剤で貼り付け、もう片面にホットメルトを予め付けておき、ペーパーコアに振動を与えながらコア内部に自然乾燥型の凝固剤を噴霧した炭を隙間無く充填し、残りの片面にも同じ不織布等を熱溶着し、不織布の周囲も接着剤・熱溶着にて重ね合わせ、若しくは袋閉じ接着された炭入りパネルであるとする。
【００１６】
請求項３に記載された発明は、不燃紙若しくは不燃性を持たせたセル面積が略１００ｍｍ２のペーパーコアの片面に不燃性の不織布若しくは片面にホットメルト付き略７０ｇ／ｍ２の不織布を接着剤で貼り付け、もう片面にホットメルトを予め付けておき、ペーパーコアに振動を与えながらコア内部に炭を隙間無く充填し、残りの片面にも同じ不織布等を熱溶着し、不織布の周囲も接着剤・熱溶着にて重ね合わせ、若しくは袋閉じ接着された炭入りパネルであるとする。
【００１７】
請求項４に記載された発明は、不燃紙若しくは不燃性を持たせたセル面積が略１００ｍｍ２のペーパーコアの片面に不燃性の不織布若しくは片面にホットメルト付き略７０ｇ／ｍ２の不織布を接着剤で貼り付け、もう片面にホットメルトを予め付けておき、ペーパーコアに振動を与えながらコア内部に自然乾燥型の凝固剤を噴霧した炭を隙間無く充填し、残りの片面にも同じ不織布等を熱溶着し、不織布の周囲も接着剤・熱溶着にて重ね合わせ、若しくは袋閉じ接着された炭入りパネルであるとする。
【００１８】
【発明の実施の形態】
本発明の炭入りパネルは、両面に通気性を備える不織布等をペーパーコアに貼り付け、内部に炭を充填したパネルである。該炭入りパネルの製造方法の詳細は下記の通りである。図１は、炭入りパネルを作成するために用いられるペーパーコアを表す図である。
【００１９】
（１）ペーパーコア１の端部は区画が揃わず囲み部分が存在しない部分もあるため、段ボール紙６等を該ペーパーコア１の幅に切断したものを、ペーパーコア端部に接着し区画をループさせる。
【００２０】
（２）セル面積が略１００ｍｍ２のペーパーコア１に炭５を充填する前に、ペーパーコアの不織布等との接着面にホットメルトを付け、温風などで熱をかけてホットメルトの表面を滑らかにしておく。これにより、ペーパーコアに炭を充填する際、不織布等とペーパーコアとの間の狭い接着面に粉炭が付きにくくなる。粉炭が付着していると、後で不織布等をペーパーコアに熱溶着する際に溶着しにくくなる。これを防ぐために、予めホットメルトをペーパーコアに付けておき、ペーパーコアの切り口表面をなめらかにして粉炭を付着しにくくする。ホットメルトの付け方として、上下２本のローラーが同調回転しペーパーコアを挟んで送れるボンドコーターを用いて、溶解させたホットメルトを均一に付着させることができる。
【００２１】
（３）ペーパーコア１の片面に通気性・吸水性の良い略７０ｇ／ｍ２の不織布４、または不燃性の不織布４を貼り付ける。その際、不織布等の片面にホットメルトが付いたものを使用したりして接着すると良い。
【００２２】
（４）片面に不織布等を接着したペーパーコアに振動を与えながらコアの区画内に７ｍｍメッシュ以下の紛炭５を隙間無く充填する。炭に自然乾燥型の凝固剤を噴霧してペーパーコアに振動を与えながらその内部に炭を隙間無く充填してもよい。ペーパーコアからはみ出している炭は、回転ブラシ等で払ったり、アイロン等でプレスしてコアの厚みに揃える。そして最初に不織布等を接着していないペーパーコアのもう片面も同じ通気性・吸水性のよい不織布４等を熱溶着する。最後に不織布の周囲も接着剤・熱溶着にて重ね合わせる、若しくは袋閉じすることで炭入りパネルは作成される。図２は、完成した炭入りパネルを表す図であり、２は不織布重ね閉じ部、３は不織布袋閉じ部をそれぞれ表している。
【００２３】
ペーパーコア内に振動を与えながら７ｍｍメッシュの竹紛炭を隙間無く充填し、両面に略７０ｇ／ｍ２の不織布を貼り付けた炭入りパネル（Ｔ＝２０ｍｍ，Ｈ＝２８５ｍｍ，Ｌ＝５９０ｍｍ、自重＝５０５ｇ）を用いて、▲１▼高さ１ｍから落下テスト１００回、▲２▼炭入りパネルの一端（Ｈ方向）を支持しもう一端を１０ｃｍの高さより落下させるテストを１００回、▲３▼過酷な振動（偏芯１．５ｍｍ、回転数１００００ｒｐｍ）を、該パネルに１０分間与えるテストをそれぞれおこなったが、結果として、▲１▼、▲２▼、▲３▼のいずれのテストにおいても目視にて粉炭の漏れは無く、不織布の表面をふき取ってみても紛炭の漏れはなかった。
【００２４】
しかし、同じ不織布に同じ炭を同量袋詰めしたもので上記▲１▼と同様のテストをしたところ、高さ１ｍからの落下テストにおいて、１２回目に目視にて粉炭の漏れが確認できた。これは内圧と外圧の関係及び充填している炭の運動と関係しているものと思われる。セル面積が略１００ｍｍ２のペーパーコア内に隙間無く充填された炭は、外部力がかかってもコア内で自由に動けない上、外圧に対して不織布がフィルターとなり内部圧の変動を少なくするため、微粉炭を不織布の隙間より押し出すだけの圧力がかかりにくくなっていると考えられる。さらに、微粉炭の質量は非常に少ないために慣性力で不織布の隙間を通り抜ける事が出来ないのであろうと考えられる。しかし、パネル面に落下テスト以上の風圧を与えつづけると、袋詰めしたものと同様に微粉炭が出てくる可能性があるため、予め自然乾燥型の凝固剤を噴霧した炭をペーパーコアに隙間無く充填する事によって、コア内で粉炭と微粉炭をいっしょに凝固させ、微粉炭の自由を奪い不織布の隙間から出ない様にすることができる。これにより、電気製品の側や、扉などの通気口などでも使用出来るようになる。
【００２５】
【発明の効果】
本発明では、
・パネル外に微粉炭が出ないため、取り扱い時に汚れることなく作業が出来る。
・丈夫で壊れにくいので取り扱い易く、炭の消臭・調湿・電磁波遮断・マイナスイオン効果が必要な場所どこにでも手軽に用いることが出来る。例えば、通気性を備えた容器やケース、絵柄の付いた和紙や布などで装飾したケース、金属・プラスチック・木製のパネルの容器等に該炭入りパネルを入れることで、様々な場所に置いたり、取り付けたり、吊るしたりして利用することが出来る。該炭入りパネルを置く場所として、ペットの巣、キッチンやディスク回り、壁の通気口などはば広く利用することができる。
・本発明では、セル面積が略１００ｍｍ２のペーパーコアを使用している。そのため炭をただ袋詰めしているものや、区画割が大きいペーパーコアに炭を入れているものと異なり、区画割が適度に細かいため、本発明炭入りパネルを取り扱っている時に内部の炭が砕けにくい。さらに、本発明は不織布とともに伸縮するため破損しにくく取り扱い易い。
・脱臭剤として使用した後の廃棄時には、焼却処分できる上、炭の調湿効果は半永久的なので床下などの調湿材に再使用することもできる。さらに本発明で利用している炭には添加物が含まれていないため脱臭時に有害なガスを吸着していなければ土に戻すことで、土壌改善としても再利用できる。
・炭入りパネルの端部に穴を開けることで、簡単に吊るしたり、その端部を接着することで多方面で使用しやすくなる。
・不燃性を持たせた炭入りパネルは、防炎垂壁・穴加工した金属パネルを用いた壁・天井の内部で使用すると、火災時には炭が有毒ガスを吸着し非難時間も稼げる事になる。
等の効果が得られる。
【図面の簡単な説明】
【図１】本発明の炭入りパネルを作成するために用いられるペーパーコアを表す図である。
【図２】本発明の炭入りパネルの完成図である。
【符号の説明】
１　ペーパーコア
２　不織布重ね閉じ部
３　不織布袋閉じ部
４　不織布
５　炭
６　段ボール紙
【図１】
2004057538.tif 000003
【図２】
2004057538.tif 000004